(57)【要約】      （修正有）【課題】女性の人体の動きに追随することができ、かつ背中の矯正も可能にするカップ付き衣料を提供する。【解決手段】バストを覆う形状の左右一対のカップ部材２、前記カップ部材の下部に設けられる左右一対の土台布３、および前記カップ部材を中央で連結させる概ね三角形のカップ連結部５を有するカップ付き衣料において、前記土台布の伸び率より、前記カップ連結部の伸び率が大きくする。【選択図】図１
2015078460.tif 000002
【特許請求の範囲】
【請求項１】
バストを覆う形状の左右一対のカップ部材、前記カップ部材の下部に設けられる左右一対の土台布、および前記カップ部材を中央で連結させる概ね三角形のカップ連結部を有するカップ付き衣料において、前記土台布の伸び率より前記カップ連結部の伸び率が大きいことを特徴とするカップ付き衣料。
【請求項２】
カップ連結部の伸び率が１１０％以上１８０％以下であり、伸長回復率が９０％以上１００％以下であることを特徴とする請求項１記載のカップ付き衣料。
【請求項３】
カップ部材の側面長手方向に沿って、カップ部材と肌との中間に身頃生地より緊締力の高い脇布を設けたことを特徴とする請求項１または２記載のカップ付き衣料。
【請求項４】
緊締力の高い脇布が、巾方向に２〜６本／２．５４ｃｍ密度を変えた1枚の連続したパワーネット地であり、その密度が身体側面に向かって多くなるように設置されてなることを特徴とする請求項３記載のカップ付き衣料。
【請求項５】
インナー後身頃の内側に、５〜１０ｃｍ巾の２枚のパワーネット地からなる後補整布を有し、前記後補整布の１枚は右上から左下へ、もう１枚は左上から右下へ交差させたことを特徴とする請求項１から４のいずれかに記載のカップ付き衣料。
【請求項６】
後補整布の１枚が、巾方向に２〜６本／２．５４ｃｍ密度を変えた1枚の連続したパワーネット地であり、その密度は身体側面に向かって多くなるように設置されてなることを特徴とする請求項５記載のカップ付き衣料。
【発明の詳細な説明】
【技術分野】
【０００１】
本発明は、女性の身体の動きに追随することができ、かつ着用快適性に優れたカップ付き衣料に関するものである。本発明におけるカップ付き衣料とは、ブラジャー、ブラトップ、カップ付きキャミソール、カップ付きランニングおよびハーフトップなどをいう。
【背景技術】
【０００２】
従来、カップ付き衣料は、着用時にカップがバストの動きに追随しにくく、カップが浮き上がりバスト下部がはみ出したり、はみ出すのが嫌で逆に小さめのサイズを着用するとバストが締め付けられ、余分なぜい肉が脇布の上に盛り上がったりして美観を損ない、着用快適性に劣るという課題あった。特に、カップが浮き上がりやすい場合は、浮き上がりを防ぐため前屈みになってしまうため、良い姿勢を保持することができなかった。
【０００３】
従来の技術として、両脇や上部に前身頃より緊締力の強い裏地部を設けた「衣服」（特許文献１参照。）、カップ部の上部と脇部に伸縮性部材を配した「カップ付き女性用衣類」（特許文献２参照。）、および後身頃にパワーネットを配備した「アンダーウエア」（特許文献３参照。）が提案されている。
【０００４】
しかしながら、特許文献１の提案では、カップが伸縮性のある袋部材の中に挿入されているだけであるためカップの位置が定まらず、着用時に最適な位置に自ら調整する必要があったため、身体の動きに追随しないため、ずれやすいものであった。また、特許文献２の提案においては、カップ引き部材とカップ吊り部材によりカップを固定してバストの動きを追随させているが、つり上げと引き下げることによりバスト形状が押しつぶされたように固定することとなり、美しいバストラインを形成することはできなかった。さらに特許文献１と特許文献２には、カップ付き衣料を着用中に前屈みになりやすい姿勢を矯正する機能は付与されていなかった。
【０００５】
また、特許文献３のでは、後身頃にパワーネット帯をＸ字状に肩線と脇部に縫着した姿勢矯正ができるアンダーウエアが提案されているが、カップ付き衣料としての機能や着用感向上についてはなんら示唆されていない。
【先行技術文献】
【特許文献】
【０００６】
【特許文献１】特許第５２５４６３６号公報
【特許文献２】特許第３７６５９９３号公報
【特許文献３】実登第３１４７４０９号公報
【発明の概要】
【発明が解決しようとする課題】
【０００７】
そこで本発明の目的は、上記従来技術の欠点を改良し、女性の人体の動きに追随することができ、かつ背中の矯正も可能にするカップ付き衣料を提供することにある。
【課題を解決するための手段】
【０００８】
本発明は、上記課題を解決せんとするものであり、本発明のカップ付き衣料は、バストを覆う形状の左右一対のカップ部材、前記カップ部材の下部に設けられる左右一対の土台布、および前記カップ部材を中央で連結させる概ね三角形の地カップ連結部を有するカップ付き衣料において、前記土台布の伸び率より前記カップ連結部の伸び率が大きいことを特徴とするカップ付き衣料である。
【０００９】
本発明のカップ付き衣料の好ましい態様によれば、前記のカップ連結部の伸び率は１１０％以上１８０％以下であり、伸長回復率が９０％以上１００％以下である。
【００１０】
本発明のカップ付き衣料の好ましい態様によれば、カップ部材の側面長手方向に沿って、前記のカップ部材と肌との中間に身頃生地より緊締力の高い脇布を設けたことである。
【００１１】
本発明のカップ付き衣料の好ましい態様によれば、前記の緊締力の高い脇布が、巾方向に２〜６本／２．５４ｃｍ密度を変えた1枚の連続したパワーネット地であり、その密度は身体側面に向かって多くなるように設置されてなることである。
【００１２】
本発明のカップ付き衣料の好ましい態様によれば、前記のインナー後身頃の内側に、５〜１０ｃｍ巾の２枚のパワーネット地からなる後補整布を有し、前記後補整布の１枚は右上から左下へ、もう１枚は左上から右下へ交差させたことである。
【００１３】
本発明のカップ付き衣料の好ましい態様によれば、前記の後補整布の１枚が、巾方向に２〜６本／２．５４ｃｍ密度を変えた1枚の連続したパワーネット地であり、その密度は身体側面に向かって多くなるように設置されてなることである。
【発明の効果】
【００１４】
本発明によれば、着用時にカップがバストの動きに追随でき着用感を向上させ、バストアップの効果もあるカップ付き衣料が得られる。さらに、本発明のカップ付き衣料においては、背中の補整布が良い姿勢を保持するという効果がある。
【図面の簡単な説明】
【００１５】
【図１】図１は、本発明のカップ付き衣料の一態様を示す前身頃の裏側からみた正面図である。
【図２】図２は、本発明のカップ付き衣料の一態様を示す後身頃の裏側からみた正面図である。
【図３】図３は、本発明のカップ付き衣料の別の一態様を示すカップ部分を表側からみた正面図である。
【図４】図４は、実施例における表１中の「姿勢外観変化（三次元計測画面）」の判定結果を示す図面代用写真である。
【発明を実施するための形態】
【００１６】
本発明のカップ付き衣料は、バストを覆う形状の左右一対のカップ部材、前記カップ部材の下部に設けられる左右一対の土台布、および前記カップ部材を中央で連結させる概ね三角形のカップ連結部を有するカップ付き衣料において、前記の土台布の伸び率より前記カップ連結部の伸び率が大きいカップ付き衣料である。
【００１７】
次に、本発明のカップ付き衣料の実施形態について、図面を参照しながら具体的に説明する。
【００１８】
図１は、本発明のカップ付き衣料の一態様を示す前身頃の裏側からみた図であり、図２は、本発明のカップ付き衣料の一態様を示す後身頃の裏側からみた図である。また、図３は、本発明のカップ付き衣料の別の一態様を示すカップ部分を表側からみた正面図である。
【００１９】
本発明でいうカップ付き衣料とは、前述のとおり、ブラジャー、ブラトップ、カップ付きキャミソール、カップ付きランニング、ハーフトップなどをいう。
【００２０】
具体的には、本発明のカップ付き衣料は、図１と図２に示されるように、ランニング型のインナー前身頃１とインナー後身頃９の内側に、バストを覆う形状の左右一対のカップ部材２、前記カップ部材の下部に設けられる左右一対の土台布３、脇布４、および、前記カップ部材を中央で連結させる概ね三角形のカップ連結布５を設置してなる裏地前身頃６と、図２に示されるようにＸ形状のパワーネット地の後補整布７を縫着して吊り下げられて構成される。
【００２１】
本発明のカップ付き衣料は、左右一対のカップ部材２とカップ部材２を中央で連結させる概ね三角形の好適には編地でできたカップ連結部５と、そのカップ部材２の下部に設けられる左右一対の土台布３を縫い合わせて得られる。このとき、カップ連結部５は、土台布３より伸び率が大きい編地を用いることが好ましい態様である。
【００２２】
通常、カップ付き衣料は、左右一対のカップを連結させる連結部など設けることなく、伸度の小さい土台布を連結部まで延長させて縫着あるいは融着し、上辺で固定することにより、バストの位置を正しい位置に固定することができるとされていた。しかしながら、連結部を設けることなく、上辺を固定することにより左右一対のカップは固定することはできるが、身体の動きに追随することができず、カップ位置がずれることがあり、さらにはカップからバストがはみ出すことにもなった。
【００２３】
本発明で使用されるカップ連結部５の伸び率を、好ましくは１１０％以上１８０％以下にすることにより、左右一対のカップが自由自在に動くため身体の動きに追随することができる。さらに、カップ連結部５の上部連結部１０を固定しないことで左右のカップが個別に動くことができ、身体の動きを妨げない点でより好ましい態様である。さらに、カップ連結部５の伸長回復率を９０％以上１００％以下の範囲にすることにより、左右カップを正しい元の位置に戻すことができ、着用や洗濯による耐久性の低下を防ぐこともできる。
【００２４】
カップ連結部５の伸び率は、ＪＩＳ  Ｌ  １０９６（２０１０年版）「織物及び編物の生地試験方法」の伸び率Ａ法（ストリップ法）に従って測定した値であり、また、伸長回復率は同じくＪＩＳ  Ｌ  １０９６（２０１０年版）「織物及び編物の生地試験方法」のＡ法（定率伸長時伸長弾性率）に従って測定した値をいう。詳細な試験方法については、後述する実施例の項に記載した。
【００２５】
本発明で使用する左右一対のカップ部材２の下部に設けられる土台布３は、カップ連結部５より伸び率の小さい部材を選ぶことが好ましく、土台布３の伸び率は３０％以下であることが好ましい。この土台布３がカップ連結部５と同様の伸び率を有するとバストが中心に落ち着かず、左右脇方向に流れてしまうことがある。土台布３の伸び率は、より好ましくは５％以上３０％以下であり、さらに好ましくは５％以上２０％以下である。
【００２６】
本発明のカップ付き衣料は、図１に示されるように、裏地前身頃６の左右一対のカップ部材２の側面長手方向に沿ってカップ部材２と肌との間に身頃生地より緊締力の高い編地を脇布４として設置することが好ましい態様である。このように脇布４を設置することにより、バストの側面への移動、すなわちバストの脇流れを防止し、バストアップもすることができる。緊締力とは、編地を一定伸長まで引き伸ばしたときの力であらわし、ＪＩＳ  Ｌ  １０９６（２０１０年版）「織物及び編物の生地試験方法」の伸長力のＢ法（編物の定伸長時伸長力）に従って測定するが、あくまでも比較する素材の相対評価であるため、適正な範囲は設けない。詳細な試験方法については、後述する実施例の項に記載した。
【００２７】
脇布４の素材は、バストの脇流れ防止のために、サテンネットやパワーネット地など緊締力のある伸縮性素材が好ましく用いられる。脇布４の設置は、伸縮性素材を１重でも２重でもかまわないし、２種類の伸縮性素材を組み合わせることができる。また、脇布４は、巾方向に２〜６本／２．５４ｃｍ密度を変えた１枚の連続したパワーネット地を使用することも好ましく、その密度を変えた１枚の連続したパワーネット地を使用する場合、密度は身体側面に向かって多くなるように設置することにより、バストの脇流れをより防止することができ、さらにバストアップすることができる。
【００２８】
脇布４の巾は、裏地前身頃６の裾線上で脇線から３ｃｍから１０ｃｍの巾で設置することが好ましい。脇布４の巾が、１０ｃｍを超えると脇布４の端面がバスト中央部にまで延在するため着用時に不快感を与えることがあり、脇線から３ｃｍ未満ではバストの隆起位置まで届かないので設置する効果が小さくなる。脇布４の巾は、より好ましくは４ｃｍから９ｃｍである。
【００２９】
本発明のカップ付き衣料においては、図２に示されるように、インナー後身頃９の内側にパワーネット地の後補整布７の１枚は右上から左下へ、もう１枚の後補整布７は左上から右下へ交差させた概ねＸ形状に設置させることが、正しい姿勢保持の点で好ましい態様である。Ｘ形状は、たすき掛けとほぼ同じ効果を得ることができる。その効果とは、たすき掛けをすることにより、肩甲骨が引き寄せられ、猫背が改善され姿勢が良くなることであり、本発明においても同様の効果が期待できる。
【００３０】
また、後補整布７は着用時には表から見えないので、外観は変わらず姿勢矯正の効果を与えることができる。
【００３１】
本発明で用いられる後補整布７は、５〜１０ｃｍ巾の２枚のパワーネット地からなることが好ましい。後補整布の巾Ｃは、背中心で測定し、後補整布の巾Ｃが５ｃｍ未満では力不足で十分な姿勢矯正を効果は発揮することは困難である。また、後補整布の巾Ｃが１０ｃｍを超えると、背中をほぼ全面覆う面積となるため、窮屈感を伴うことがある。
【００３２】
さらに、上記の後補整布７の１枚が巾方向に２〜６本／２．５４ｃｍ密度を変えた１枚の連続したパワーネット地を、身体側面に向かって多くなるように設置することがより好ましい態様である。身体側面とは、図２の矢印Ａ、Ｂ方向を示し、それらの方向に向かって密度を多くすることにより身体の引き上げ効果が高まる。
【００３３】
このようにして得られた裏地前身頃６と後補整布の下端部を、好ましくは１．５ｃｍ以上３ｃｍ以下の巾の平ゴム等のゴム部８で繋ぎ、カップ付き衣料の内側に設置する。平ゴム等のゴム部８の巾が１．５ｃｍ未満では、線状に身体を圧迫するため、身体に線状の跡が残ることがある。また、ゴム部８の巾が３ｃｍを超えると、身体を圧迫して着脱しにくく、着用中も窮屈感が増すことがある。このとき、裏地部分の脇や下端部はカップ付き衣料には縫着しないことで、外観は変わらず裏地部分の補整効果を与えることができる。
本発明の別の態様として、図３に示すようなカップ付きインナーについて図面を参照しながら具体的に説明する。具体的には図３に示されるように、ブラジャーの形状で、左右一対のカップ部材２とカップ部材２を中央で連結させる概ね三角形の編地でできたカップ連結布５、そのカップ部材下部に設けられる土台布３、バック布１１および肩紐１３を縫い合わせて、カップ付きインナーが得られる。このとき、カップ連結部５は土台布３より伸び率が大きい編地を用いることである。
【実施例】
【００３４】
次に、本発明のカップ付き衣料について、実施例を挙げてさらに具体的に説明するが、本発明はこれらに限定されるものではない。実施例において用いた外衣表地および裏地の品質評価は、次の方法で実施した。
【００３５】
（測定方法）
（１）伸び率
表地および裏地の伸び率は、ＪＩＳ  Ｌ  １０９６（２０１０年版）「織物及び編物の生地試験方法」の伸び率Ａ法（定速伸長法）に従って測定した。
【００３６】
すなわち、まず、５ｃｍ×３０ｃｍの試験片を、タテ方向とヨコ方向にそれぞれ３枚ずつ採取した。測定には、自動記録装置付定速伸長形引張試験機を用い、つかみ間隔を２０ｃｍとし、試験片のたるみや張力を除いて、試験片をつかみに固定した。引張速度２０ｃｍ／ｍｉｎで１４．７Ｎ（１．５ｋｇ）まで伸ばし、そのときのつかみ間隔を測り、次の式により伸び率ＬＡ（％）を求め、３枚の平均で表した。
・伸び率ＬＡ（％）＝｛（Ｌ１−Ｌ）／Ｌ｝×１００
Ｌ  ：つかみ間隔（ｍｍ）
Ｌ１：１４．７Ｎまで伸ばした時のつかみ間隔（ｍｍ）。
【００３７】
（２）伸長回復率
伸長回復率は、同じくＪＩＳ  Ｌ  １０９６（２０１０年版）「織物及び編物の生地試験方法」のＡ法（繰り返し定速定伸長法）に従って測定した。
【００３８】
すなわち、まず、５ｃｍ×３０ｃｍの試験片を、タテ方向とヨコ方向にそれぞれ３枚ずつ採取した。測定には、自動記録装置付定速伸長形引張試験機を用い、つかみ間隔を２０ｃｍとし、試験片のたるみや張力を除いて、試験片をつかみに固定した。引張速度２０ｃｍ／ｍｉｎで別に求めた伸び率（前項ＬＡ）の値の８０％まで伸ばして、１分放置した後、同じ速度で元の位置まで戻し、３分間放置する。この操作を１０回繰り返した後、再び同じ速度で初荷重以上の荷重まで引き伸ばす。記録した荷重−伸長曲線から、残留伸びを測り次式により伸長回復率ＬＢ（％）を求め、３枚の平均で表した。
・伸長回復率ＬＢ（％）＝［（Ｌｂ１−Ｌｂ）/Ｌｂ］×１００
Ｌｂ：伸び率ＬＡの８０％の伸びに相当するチャート上の長さ（ｍｍ）
Ｌｂ１：１０回繰り返し伸長後の残留伸びに相当するチャートの長さ（ｍｍ）。
【００３９】
（３）緊締力
身頃生地、脇布および後補整布の緊締力は、ＪＩＳ  Ｌ  １０９６（２０１０年版）「織物及び編物の生地試験方法」の伸長力のＢ法（編物の定伸長時伸長力）に従って測定した。
【００４０】
すなわち、まず、５ｃｍ×３０ｃｍの試験片を、タテ方向とヨコ方向にそれぞれ３枚ずつ採取した。測定には、自動記録装置付定速伸長形引張試験機を用い、つかみ間隔を２０ｃｍとし、試験片のたるみや張力を除いて、試験片をつかみに固定した。引張速度２０ｃｍ／ｍｉｎで１５％伸長まで引き伸ばし、１分間保持したときの荷重を荷重−伸び曲線から求め、３回の平均値を算出した。
【００４１】
（４）姿勢外観変化の評価
出来上がったカップ付き衣料の姿勢外観変化を評価するため、(株)サン・エンジニアリング社製の三次元計測器を使い、モニターの裸体とカップ付きインナーを着用したときの画像を撮影し、首の位置や背中の曲がりぐあいを観察し、さらにモニターの官能評価を実施した。
【００４２】
（５）バストアップ効果
三次元計測器で撮影した画像を用いて鎖骨と乳頭間の距離を計測し、裸体とカップ付き衣料を着用した時の差寸を計算した。
【００４３】
（６）身体の動きへの追随性、着用感および締め付け感
出来上がったカップ付き衣料をモニターに着用させ、身体の動きへの追随性、着用感および締め付け感について官能評価を実施した。その評価基準を、表１に示す。モニターは、年齢が３０代から５０代の女性５名である。着用した結果の平均点を、各評価点数として示す。各評価点数の合計点数を総合評価とし、総合評価が大きいものほど優れていることを示す。
【００４４】
【表１】
2015078460.tif 000003
【００４５】
表１中の「姿勢外観変化（三次元計測画面）」の判定結果を、図４に示す。図４の姿勢外観変化において、（ａ）は判定「３」、（ｂ）は判定「２」、（ｃ）は判定「１」の結果をそれぞれ示す。
【００４６】
（実施例１）
３１０Ｔ弾性糸をナイロン４４Ｔでカバーリングした糸を用いて５６ゲージで編成し、ウエル４５本／２．５４ｃｍ、コース６０本／２．５４ｃｍの丸編地を得、ランニング型のインナーを縫製した。該丸編地の伸び率はタテ方向１５２％、ヨコ方向１２９％、伸長回復率はタテ方向９７％、ヨコ方向９０％、緊締力はタテ方向７５ｃＮ、ヨコ方向９ｃＮであった。
【００４７】
カップ部材としてウレタンフォームを用い、カップ上を上記で得られた丸編地（裏地前身頃６）で連結させた。次に、３１０Ｔ弾性糸をナイロン４４Ｔでカバーリングした糸を用い、５６ゲージでパワーネットＡを編成し、ウエル４１本／２．５４ｃｍ、コース６１本／２．５４ｃｍの編地を得た。得られた編地の伸び率はタテ方向１７１％、ヨコ方向１３３％、伸長回復率はタテ方向９７％、ヨコ方向９０％、緊締力はタテ方向８３ｃＮ、ヨコ方向１１ｃＮであった。得られた編地を左右カップの間の概ね三角形のカップ連結部として使用し、土台布のナイロン１００％マーキゼットと縫い合わせた。前記のマーキゼットの伸び率は、タテヨコ共に５％であった。
【００４８】
別途、３１０Ｔ弾性糸をナイロン４４Ｔでカバーリングした糸を用い、ウエル４３本／２．５４ｃｍの箇所と４５本／２．５４ｃｍの箇所をもつパワーネットＢを編成した。そのパワーネットＢの密度小と大がほぼ同じ巾となるように、７ｃｍ巾の脇布を裁断した。密度大が脇側になるように、カップ部材の一部をカバーして脇布を設置し、図１に示すような形状の裏地前身頃を縫製した。
【００４９】
背中には、パワーネットＢを密度小と大がほぼ同じ巾となるように８ｃｍ巾の後補正布を２本裁断した。密度大を身体側面、すなわち図２のＡ、Ｂ側となるように１枚は右上から左下へ、もう１枚は左上から右下へ交差させるようにインナー後身頃の袖ぐりと衿ぐりに縫着した。
【００５０】
裏地前身頃と後補整布の端部を１．５ｃｍ巾の平ゴムで連続させ、ランニング型インナーに縫着した。
【００５１】
このようにして得られたカップ付き衣料を着用したときの姿勢外観変化、バストアップ効果、身体の動きへの追随性、着用感および締め付け感を評価した結果を、表２に示す。
【００５２】
表２に示されるように、カップ付き衣料を着用して腕の上げ下げ、旋回などの運動をしてもカップがずれることなく正しい位置にバストが納まり、鎖骨から乳頭までの距離が裸体に比べて３．０ｃｍ短くなったことからバストアップ効果もあることが実証できた。さらに、三次元計測画像で首の位置が後になり背中がまっすぐになったことから、背すじも伸びて、姿勢が良くなる感じが実感でき、実証することもできた。
【００５３】
（実施例２）
実施例１で得られた丸編地で、ハーフタイプのランニング型のインナーを縫製した。
【００５４】
カップ部材としてウレタンフォームを用い、カップ上を上記の丸編地（裏地前身頃６）で連結させた。実施例１で得られたパワーネットＡを、左右カップの間の概ね三角形のカップ連結部として使用し、土台布のナイロン１００％マーキゼットと縫い合わせた。さらに、該パワーネットＡを、６ｃｍ巾に裁断し、カップの一部をカバーして脇布として設置し、図１に示すような形状の裏地前身頃を縫製した。
【００５５】
背中には、パワーネットＡを１０ｃｍ巾の後補整布として２本裁断し、１枚は右上から左下へ、もう１枚は左上から右下へ交差させ、背中心で重なった部分を縫い付け、インナー後身頃の袖ぐりと衿ぐりに縫着した。
【００５６】
裏地前身頃と後補整布の端部をハーフタイプのランニング型インナーの裾端部に縫着して、ハーフトップ型インナーを得た。
【００５７】
このカップ付き衣料を着用したときの姿勢外観変化、バストアップ効果、身体の動きへの追随性、着用感および締め付け感を評価した結果を、表２に示す。
【００５８】
表２に示されるように、カップ付き衣料を着用して腕の上げ下げ、旋回などの運動をしてもカップがずれることなく正しい位置にバストが納まり、鎖骨から乳頭までの距離が裸体に比べて２．０ｃｍ短くなったことから、バストアップ効果もあることが実証できた。さらに、三次元計測画像で首の位置が後になり背中がまっすぐになったことから、背すじも伸びて姿勢が良くなる感じが実感でき、実証することもできた。
【００５９】
（実施例３）
実施例１で使用した丸編地を使い、キャミソールを縫製した。
【００６０】
カップ部材としてウレタンフォームを用い、カップ上を上記の丸編地（裏地前身頃６）で連結させた。次に、実施例１で使用したパワーネットＡを左右カップの間の概ね三角形のカップ連結部として使用し、土台布のナイロン１００％マーキゼットと縫い合わせた。さらに、パワーネットＡを５ｃｍ巾に裁断し、カップの一部をカバーする脇布として縫着して裏地前身頃を縫製した。
【００６１】
上記の丸編地で裏地前身頃の裾線まで延長させ裏地後身頃として、裏地前身頃の裾部を１．５ｃｍ巾の平ゴムで連続させ、キャミソールの裏に吊り下げ、カップ付きキャミソールにした。
【００６２】
このカップ付き衣料を着用したときの姿勢外観変化、バストアップ効果、身体の動きへの追随性、着用感および締め付け感を評価した結果を、表２に示す。
【００６３】
表２に示されるように、カップ付き衣料を着用して腕の上げ下げ、旋回などの運動をしてもカップがずれることなく正しい位置にバストが納まり、鎖骨から乳頭までの距離が裸体に比べて２．０ｃｍ短くなったことから、バストアップ効果もあることを実証することができた。
【００６４】
（実施例４）
実施例１で使用した丸編地をカップ外側に使い、カップ部材としてウレタンフォームを用い、実施例１で使用したパワーネットＡを左右一対のカップの間の概ね三角形のカップ連結部として使用し、土台布のナイロン１００％マーキゼットと縫い合わせてブラジャーを得た。
【００６５】
このカップ付き衣料を着用したときの姿勢外観変化、バストアップ効果、身体の動きへの追随性、着用感および締め付け感を評価した結果を、表２に示す。
【００６６】
表２に示されるように、カップ付き衣料を着用して腕の上げ下げ、旋回などの運動をしてもカップがずれることなく正しい位置にバストが納まり、鎖骨から乳頭までの距離が裸体に比べて１．５ｃｍ短くなったことからバストアップ効果もあることが実証できた。
【００６７】
（比較例１）
実施例１で使用した丸編地を使って、ランニング型のインナーを縫製した。
【００６８】
カップ部材としてウレタンフォームを用い、カップ上を閂止め（かんぬきどめ）縫いで連結させた。次に、伸び率５％のナイロン１００％マーキゼットをカップ連結部および土台布として連続した形状で設置し、裏地前身頃とした。上記の丸編地で裏地前身頃の裾線まで延長させ裏地後身頃として、裏地前身頃の裾部を１．５ｃｍ巾の平ゴムで連続させ、ランニング型インナーの裏に吊り下げ、カップ付きインナーを得た。
【００６９】
このカップ付き衣料を着用したときの姿勢外観変化、バストアップ効果、身体の動きへの追随性、着用感および締め付け感を評価した結果を、表２に示す。
【００７０】
表２に示されるように、カップ付き衣料を着用して腕の上げ下げ、旋回などの運動をするとカップが上にずれ、バストが下からはみ出そうになるため、前屈みになり姿勢が悪くなった。鎖骨から乳頭までの距離は裸体に比べて０．５ｃｍ短くなったが、姿勢外観写真では首の位置も変化無いことから、姿勢矯正効果はなく、身体にフィットしないで着心地が悪かった。
【００７１】
（比較例２）
実施例１で使用した丸編地を使って、キャミソール型のインナーを縫製した。キャミソールの裏側にカップ部材を挿入できる袋を縫い付け、実施例１で使用したカップ部材を挿入した。このカップ付き衣料を着用したときの姿勢外観変化、バストアップ効果、身体の動きへの追随性、着用感および締め付け感を評価した結果を、表２に示す。
【００７２】
表２に示されるように、カップ付き衣料を着用して腕の上げ下げ、旋回などの運動をすると、カップも同様に動くため、カップがずれてバストが下からはみ出したバストは脇に流れ、フィット感が悪かった。また、バストアップの効果は全くなかった。
（比較例３）
表地、ウレタンフォームおよび裏地を、モールド成形機で加熱加圧することにより、カップ部材、連結部および土台布を一体化したモールドカップを得た。得られたモールドカップに肩紐を、熱圧着で取りつけ無縫製のブラジャーを得た。このカップ付き衣料を着用したときの姿勢外観変化、バストアップ効果、身体の動きへの追随性、着用感および締め付け感を評価した結果を、表２に示す。
【００７３】
表２に示されるように、カップ付き衣料を着用して腕の上げ下げ、旋回などの運動をすると、ブラジャーも同様に動くため、カップがずれてバストが下からはみ出したバストは脇に流れ、フィット感が悪かった。
【００７４】
【表２】
2015078460.tif 000004
【符号の説明】
【００７５】
１  ：インナー前身頃
２  ：カップ部材
３  ：土台布
４  ：脇布
５  ：カップ連結部
６  ：裏地前身頃
７  ：後補整布
８  ：ゴム部
９  ：インナー後身頃
１０：上部連結部
１１：バック布
１２：係止部
１３：肩紐
Ａ．Ｂ：密度大を入れる方向
Ｃ  ：補整布の巾
【図１】
2015078460.tif 000005
【図２】
2015078460.tif 000006
【図３】
2015078460.tif 000007
【図４】
2015078460.tif 000008